(57)【要約】【課題】パソコンに不慣れなユーザーがインターネット情報を閲覧するソフトウエア（ブラウザー）を介することなく容易にかつ速やかにインターネット上の所定の情報を所望の印刷条件で出力できる画像形成装置を提供すること。【解決手段】予め特定のインターネット情報ページとその印刷条件を組み合わせて登録することにより、登録された後は少なくとも１回の操作でインターネット情報出力が行われるインターネット出力操作部を画像形成装置に具備すること。【選択図】図２
2012091395.tif 000002
【特許請求の範囲】
【請求項１】
ネットワーク上のインターネットサーバーが保持するインターネット情報をパソコンの指令およびブラウザーソフト上での閲覧を介さず直接印刷でき、かつ入力されたインターネット情報を印刷できる画像形成装置において、画像形成装置の印刷制御を行う制御操作部とは異なり、予め希望するインターネット情報ページとその印刷条件を組み合わせて登録することにより、登録された後は少なくとも１回の操作でインターネット情報出力が行われるインターネット出力操作部を具備することを特徴とする画像形成装置。
【請求項２】
前記インターネット出力操作部は固定されて操作可能なボタンであることを特徴とする請求項１に記載の画像形成装置。
【請求項３】
前記インターネット出力操作部はタッチパネル式の画面に表示され操作可能なボタンであることを特徴とする請求項１に記載の画像形成装置。
【請求項４】
前記インターネット出力操作部は出力するユーザーが異なる場合、ユーザー毎に異なるインターネット情報ページを出力することが可能であることを特徴とする請求項１乃至請求項３のいずれか一項に記載の画像形成装置。
【請求項５】
前記インターネット情報を出力したいユーザーを変更する場合にはユーザー変更のための設定ボタンが１つの固定されたボタンもしくはタッチパネル上に表示されるボタンで設定されることを特徴とする請求項４に記載の画像形成装置。
【請求項６】
前記ユーザー毎の出力ページは、予め各々のユーザーが希望する印刷条件に設定されていることを特徴とする請求項４または請求項５に記載の画像形成装置。
【請求項７】
前記印刷条件とは、ユーザー毎にユーザーが予め希望する大きさに印刷物の出力倍率が設定されていることを特徴とする請求項６に記載の画像形成装置。
【請求項８】
前記印刷条件では、ユーザーとして色弱者が登録され色弱者が出力する場合、出力ページは色弱者の判別が容易になる画像情報に変換されて出力されることを特徴とする請求項５に記載の画像形成装置。
【発明の詳細な説明】
【技術分野】
【０００１】
本発明は複写機およびプリンターなどのインターネット情報を出力するための画像形成装置に関するものである。
【背景技術】
【０００２】
従来の画像形成装置において、インターネット情報を出力する場合、所謂インターネット情報を閲覧するための専用ソフトウエア（以下ブラウザーとする）で閲覧した後、閲覧画面を出力することが一般的な方法であった。しかしながらこのような方法を用いる場合、パソコンなどの情報機器を一度起動させてからブラウザーを開く必要がある。従って、全てのユーザーが速やかに情報を入手する場合には、パソコンの起動時間のみならず、起動させた後、ブラウザーを用いて所望のページにアクセスする必要があり情報出力に対して、時間を感じさせるものであった。
【０００３】
そこで特許文献１によれば、複写機に予めブラウザーを内臓させ、操作部の画面でブラウザーを表示させることでパソコンの立ち上げ時間が不要となる画像形成装置が提案されている。
【先行技術文献】
【特許文献】
【０００４】
【特許文献１】特開２００７−２７４２０９号公報
【発明の概要】
【発明が解決しようとする課題】
【０００５】
しかしながら特許文献１に記載された画像形成装置であっても、所望の情報を出力する場合、印刷時に必ずブラウザーを介して所望のページを表示する作業が必要不可欠であった。
【０００６】
従って、頻繁に特定のインターネット情報ページを出力する場合でも、パソコンの取扱いに不慣れなユーザーにとっては、必ずブラウザーを開いて表示させる作業や特許文献１の場合にはモードなどを切り替えた上で、閲覧したいページをブラウザーで表示させるという作業が必要であった。さらには印刷する前には印刷条件をユーザーが確認する必要があった。従って、煩雑に出力する情報ページを印刷する場合、パソコンの立ち上がり時間は短縮されても、実際に印刷するまでの煩雑さを感じてしまうものであった。
【０００７】
また、特定の色同士の識別が困難なユーザー（以下色弱者とする）にとってはブラウザーで表示されたページが必ずしも、情報を識別しやすい色構成で表示されているとは限らず、そのまま印刷されたとしても、閲覧が困難な状況が存在した。
【課題を解決するための手段】
【０００８】
１．本発明における第一の発明によれば、ネットワーク上のインターネットサーバーが保持するインターネット情報をパソコンの指令およびブラウザーを介さず直接印刷でき、かつ入力されたインターネット情報を印刷できる画像形成装置において、画像形成装置の印刷制御を行う制御操作部とは異なり、予め希望するインターネット情報ページとその印刷条件を組み合わせて登録することにより、登録された後は少なくとも１回の操作でインターネット情報出力が行われるインターネット出力操作部を具備することを特徴とする。
【０００９】
２．本発明における第２の発明によれば、インターネット出力操作部は固定されて操作可能なボタンであることを特徴とする。
【００１０】
３．本発明における第３の発明によれば、インターネット出力操作部はタッチパネル式の画面に表示され操作可能なボタンであることを特徴とする。
【００１１】
４．本発明における第４の発明によれば、インターネット出力操作部は出力するユーザーが異なる場合、ユーザー毎に異なるインターネット情報ページを出力することが可能であることを特徴とする。
【００１２】
５．本発明における第５の発明によれば、インターネット情報を出力したいユーザーを変更する場合にはユーザー変更のための設定ボタンが１つの固定されたボタンもしくはタッチパネル上に表示されるボタンで設定されることを特徴とする。
【００１３】
６．本発明における第６の発明によれば、ユーザー毎の出力ページは、予め各々のユーザーが希望する印刷条件に設定されていることを特徴とする。
【００１４】
７．本発明における第７の発明によれば、ユーザー毎の出力ページはユーザー毎にユーザーが予め希望する大きさに印刷物の出力倍率が設定されていることを特徴とする。
【００１５】
８．本発明における第８の発明によれば、ユーザーとして色弱者が登録され色弱者が出力する場合、出力ページは色弱者の判別が容易になる画像情報に変換されて出力されることを特徴とする。
【発明の効果】
【００１６】
本発明によりパソコンに不慣れなユーザーがブラウザーを介することなく容易にかつ速やかにインターネット上の所定の情報を出力できる画像形成装置を提供することにある。またユーザー毎に予め希望する印刷条件（大きさ、画像変換）に基づいて出力することにより、ユーザー毎に好適な出力物を得ることができる。
【図面の簡単な説明】
【００１７】
【図１】本発明における制御ブロック図の一例
【図２】本発明の第一の実施形態における画像形成装置の一例
【図３】本発明における情報出力設定ソフトウエアで表示される画面の一例
【図４】本発明の第一の実施形態における情報出力の制御フローの一例
【図５】本発明の第二の実施形態における画像形成装置の一例
【図６】本発明における情報出力設定ソフトウエアで表示される画面の一例
【図７】本発明の第二の実施形態における情報出力の制御フローの一例
【図８】本発明の第二の実施形態における色覚条件の変換フローの一例
【図９】本発明の第二の実施形態における色領域の領域範囲表の一例
【図１０】本発明の第二の実施形態における付加パターン表の一例
【発明を実施するための形態】
【００１８】
【実施例１】
【００１９】
図１は、第一の実施形態における画像形成装置を含む構成例を示す制御ブロック図である。図１において、画像形成装置は画像形成出力部、制御部、インターネット出力操作部、ネットワークＩ／Ｆ（インターフェース）部から構成されている。尚制御部は不図示である装置のシーケンスを制御する部分と入力画像を出力画像に変換する画像処理部分から構成されている。
【００２０】
尚、画像形成装置はネットワークＩ／Ｆ部から不図示のルーターを通じてインターネット網に接続することで各々のインターネットサーバーから所望のインターネット情報を入手し出力できる構成である。尚、インターネット網に接続できる構成であれば、ネットワークＩ／Ｆ部からインターネット網へ接続形態は有線、無線あるいはイントラネット経由有無等、特に限定される必要は無い。
【００２１】
次に、図２（ａ）に画像形成装置の一例であるレーザービームプリンター（以下  ＬＢＰとする）の外観図を示した。ＬＢＰは用紙トレイ１、プリンターの各種機能を設定するコントロールパネル２、印刷済み用紙が出力される用紙排出口３そしてインターネット出力操作部４から構成されている。またインターネット網に接続するために本実施例ではＬＡＮケーブル５に接続されている。図２（ｂ）にはインターネット出力操作部４の詳細を示した。操作部は情報出力ボタン６から構成されている。尚、本実施例では情報出力ボタンについて「Ａ」、「Ｂ」、「Ｃ」の３種類の情報を設定できる例を示したが、同様の機能を達成できるものであればボタン数やボタンの呼称は任意で構わない。また情報出力ボタン４は、後述の方法で予め設定されたボタン毎の情報入手先のＵＲＬと印刷条件を読み出し、画像形成装置に対し印刷指令を行うように設定されている。
【００２２】
本実施例ではインターネット出力操作部４のボタン構成を物理的なボタン（以下ハードボタン）としたが、インターネット出力操作部をタッチパネル画面としてその中にボタンを設ける（以下ソフトボタン）ものであっても別段構わない。
【００２３】
次に前述のＵＲＬと印刷条件の設定方法の一例について説明を行う。尚、本実施例では図２におけるインターネット出力操作部４の情報出力ボタン６の一つである「Ａ」ボタン６（ａ）  の情報を設定する例を示す。
【００２４】
設定方法としては公知である画像形成装置の制御ソフトウエアに書き込みを行う（以下アップデートとする）方法を用いる。そこでまず画像形成装置をパソコンもしくはＰＤＡなどの情報機器端末を接続する。尚、接続方法はＵＳＢケーブルなど電気的な接続もしくは無線通信を利用するなど、有線、無線を問わず制御用ソフトウエアを書き込みできる公知なものならば、その形態は問わない。そして接続したパソコンもしくはＰＤＡの画面上で図３に示す前述のＵＲＬと印刷条件を設定できるソフトウエア（以下  設定ソフトウエア）の画面を起動させる。図３（ｂ）に示すように設定ソフトウエアではＵＲＬとそのＵＲＬをどのように印刷するかを設定できる。
【００２５】
設定手順としては、まずはじめに図３（ａ）に示すようにソフトウエア上に表示された設定したい情報出力ボタンの選択部１０をクリックする。クリックした後に図３（ｂ）に示す画面が開いたら、最初に「Ａ」ボタンで見たいページのＵＲＬのアドレスをＵＲＬ設定部１１に入力する。
【００２６】
上述のように接続された情報機器端末にブラウザーがインストールされており、お気に入りが登録されている場合、「ブラウザーのお気に入り一覧から登録する」という第二のＵＲＬ設定部１２をクリックした上で、ブラウザーのお気に入り一覧を表示させ選択しても構わない。
【００２７】
次に印刷条件の設定を行う。設定はソフトウエア上に表示された簡易画面で行っても構わない。
【００２８】
簡易画面で印刷条件を設定する場合、大きさについては印刷条件の大きさ設定部１３の中（１３（ａ）、１３（ｂ）、１３（ｃ））から、カラー設定については印刷条件のカラー設定部１４の中（１４（ａ）、１４（ｂ））から所望の項目をクリックすればよい。
【００２９】
また、詳細に印刷条件を設定したい場合、印刷条件の詳細設定部１５をクリックすることで、通常プリント時に表示される不図示のプリンター固有の詳細な印刷条件の設定画面を開くことができ詳細な設定が可能となる。尚、上記のＵＲＬのアドレス設定や印刷条件の設定について、別形式の画面であってもＵＲＬや印刷条件設定ができるものならばその内容項目の形態は問わない。以上の手順を経て「Ａ」ボタンで見たいページのＵＲＬと印刷条件の設定を完了したら、「上記設定でアップデートを行う」というアップデート設定部１６をクリックすることで、画像形成装置の制御ソフトウエアに（制御ソフトウエアのアップデートを行って）書き込みを行う。
【００３０】
その結果、情報出力ボタン６の一つである「Ａ」ボタン６（ａ）と指定するＵＲＬおよび印刷条件の関連付けが完了する。尚、この関連付けに関しユーザーがパソコンに不慣れな場合、画像形成装置の販売業者でソフトウエアに精通している人やパソコンに詳しい家族や知人等に関連付けの設定をしてもらっても構わない。また、一般的に良く利用される情報（例えば全国の天気予報、時事ニュース一覧、道路交通情報など）は予め画像形成装置の工場出荷時に製造元で設定しておいても構わない。尚、ＵＲＬと印刷条件の設定方法については、図２の画像形成装置本体のコントロールパネル４から設定を行っても別段構わない。
【００３１】
次に、以上の装置構成を踏まえ、実際にユーザーが情報出力ボタンを押した後、ボタンに設定されたインターネット情報がＬＢＰで出力される制御フローについて図４を用いて説明する。
【００３２】
まずはじめにインターネット出力操作部における情報出力ボタンが押されたか否か判別を行う（Ｓ１１）。情報出力ボタンが押されたことを確認できた場合、情報出力ボタンに予め設定されたＵＲＬに対しネットワークＩ／Ｆ部を介してアクセスを行う（Ｓ１２）。アクセス後、情報のダウンロードを開始する（Ｓ１３）。尚、ダウンロード先は画像形成装置に設けられた不図示の記憶手段（メモリー、ハードディスクなど）に保存される。次に情報が全てダウンロードされたか否かを判別する（Ｓ１４）。ダウンロード完了後、ダウンロードされたデーターに対しＲＩＰ処理を行う（Ｓ１５）。ＲＩＰ処理されたデーターは画像形成装置の持つ色空間に色変換される（Ｓ１６）。色変換された後、予め情報出力ボタンで定めた印刷条件に合うように画像処理を行う（Ｓ１７）。画像変換後プリント出力を行う（Ｓ１８）。
【００３３】
以上の制御フローを用いることで、ユーザーは所望の情報に対応する情報出力ボタンを押すだけで、ブラウザーを介することなく所望の情報を出力することが可能となる。
【００３４】
尚、画像形成装置としては、ＬＢＰ以外にも公知である複写機やインクジェットプリンター或いは熱転写プリンターなどその他の公知な画像形成装置を用いて同等の機能を備えても別段構わない。
【実施例２】
【００３５】
図５は第二の実施形態を示す画像形成装置の外観図である。尚、前述の第一の実施形態と同等機能を有する箇所および制御フローの説明は省略する。図５において第一の実施形態と異なる箇所はインターネット出力操作部４であり、図５（ｂ）に示すようにインターネット出力操作部４は情報出力ボタン６とユーザー選択部７の２つの領域から構成されている。
【００３６】
ユーザー選択部７では３人のユーザー（本実施例では各ユーザー名を「ユーザー１」「ユーザー２」「ユーザー３」で区分することとする）を選択できる構成を持っている。またユーザー選択部７はユーザー選択ボタン７（ａ）と選択されたユーザーを表示する選択ユーザー表示部７（ｂ）から構成されている。
【００３７】
ユーザー選択ボタン７（ａ）はボタンを押すごとに選択ユーザーを循環して切り替えできる。
【００３８】
本実施例では「ユーザー１」→「ユーザー２」→「ユーザー３」→「ユーザー１」→「ユーザー２」→・・（以下繰り返し）の順で切り替わる。尚、画像形成装置の電源ＯＮ直後は「ユーザー１」が選択されている。また電源ＯＮ中は最も直近に選択されたユーザー選択の設定がそのまま保持されるものとする。また選択ユーザー表示部７（ｂ）はユーザー選択ボタン７（ａ）でのユーザー切り替えに応じて選択されたユーザーの表示部分（  例）「ユーザー１」が選択された場合は  「１」の部分）が点灯する構成となっている。
【００３９】
一方、情報出力ボタン６は、ユーザー毎に３種類のインターネットＵＲＬを設定できる構成となっており、選択ユーザーの切り替えに応じて情報出力ボタン６（ａ）、６（ｂ）、６（ｃ）でリンクされた登録情報も切り替えられる構成である。尚、設定可能なユーザー数およびその名称、そしてＵＲＬの設定数については、同様の機能を実現できるものであればその数および名称の形態は問わない。
【００４０】
次に上記構成を用いてインターネット情報を出力する場合、情報出力ボタン６とユーザー選択部７の操作方法について説明を行う。まずはじめにユーザー表示部７（ｂ）を確認しながらユーザー選択ボタン７（ｂ）を押してユーザー選択を行う。すでに所望のユーザーが選択されている場合には本工程は省略しても構わない。次に情報出力ボタン６（ａ）、６（ｂ）、６（ｃ）の中から入手したいボタンを押すことで情報が出力できる。
【００４１】
尚、本実施形態におけるインターネット出力操作部４のボタン構成は第一の実施形態に記載のソフトボタンを用いても別段構わない。
【００４２】
また本実施形態におけるインターネットへの接続構成は第一の実施形態で記した図１のブロック図と同一である。
【００４３】
次に本実施形態におけるインターネット出力操作部のユーザー選択ボタンと情報出力ボタンに対しＵＲＬおよび印刷条件の設定方法の一例について図６を用い説明を行う。
【００４４】
尚、本実施形態においても第一の実施形態と同様にパソコンもしくはＰＤＡと画像形成装置を接続して設定をするため、説明はパソコン画面上のＵＲＬおよび印刷条件の設定ソフトウエア上の画面に関する部分のみ示す。また本実施例では「ユーザー１」の情報出力ボタン「Ａ」で出力される情報を設定するものとして説明を行う。
【００４５】
まずソフトウエア上では、図６（ａ）に示すように情報出力内容を登録したいユーザーの選択を行う。選択は該当するユーザー設定部１７の中（１７（ａ）、１７（ｂ）、１７（ｃ））から、いずれか一つをクリックすればよい。次に図６（ｂ）に示すような情報出力ボタンの内容登録画面が表示される。ここでは第一の実施例における図３（ａ）と同様に設定したい情報出力ボタンの選択部１０をクリックすればよい。
【００４６】
その後図６（ｃ）の画面が表示されＵＲＬの設定と印刷条件の設定が可能となる。ＵＲＬの設定については各個人ごとに頻繁に各情報出力ボタンで出力したいＵＲＬを実施例１と同様に設定すれば良い。例えば「ユーザー１」が、お気に入りのスーパーの広告、天気予報、今日のニュースのページを出力したい場合、実施例１と同様に予め各情報に該当するページを情報出力ボタンに設定しておけばよい。このようにして全てのユーザー（本実施例では３人としたが、人数は他の人数であっても別段構わない）を自分の好みに応じたページと印刷条件を登録することでユーザー毎に希望情報が選択できる。
【００４７】
次に図６（ｃ）に示す印刷条件設定画面にある色覚条件設定部１８に関して説明を行う。
【００４８】
色覚条件設定をクリックした場合には図６（ｄ）に示すように色覚条件を設定する画面が表示される。そこでユーザーはＮＰＯ法人  カラーユニバーサルデザイン機構（Ｃｏｌｏｒ  Ｕｎｉｖｅｒｓａｌ  Ｄｅｓｉｇｎ  Ｏｒｇａｎｉｚａｔｉｏｎ）の定める色弱の種類（Ｃ型、Ｐ型・Ｄ型（赤緑色弱）、Ｔ型（黄青色弱）、Ａ型）を色覚設定選択部１９の中から選択する。
【００４９】
選択を終了した後、色覚設定保存部２０をクリックすると設定条件を保存した上で図６（ｃ）画面に戻ることができる。その後、先程設定したＵＲＬと印刷条件でよければ、アップデート設定部１６をクリックすることで、画像形成装置の制御ソフトウエアに（制御ソフトウエアのアップデートを行って）書き込みを行う。
【００５０】
以上の過程を経て、「ユーザー１」で「Ａ」ボタンが選択された場合のＵＲＬ、印刷条件および色覚条件の関連付けが完了する。他のユーザーやボタンについても同様の手順を踏んで設定を行えばよい。
【００５１】
次に本実施例における情報出力の制御フローについて図７を用いて説明を行う。
【００５２】
本実施例におけるＳ２２からＳ２６およびＳ２８、Ｓ２９フローは第一の実施形態図４におけるＳ１２〜１６およびＳ１７、Ｓ１８フローと同様であるため説明を割愛する。異なるＳ２１フローでは少なくともインターネット出力操作部４のいずれかの情報出力ボタン６が操作されたか否かの判別を行い、操作が確認された場合のみＳ２２フローへ進む。もしユーザーを変更したい場合には、ユーザーはユーザー選択ボタン７（ａ）でユーザー選択を行った後、いずれかの情報出力ボタン６を操作すればよい。
【００５３】
Ｓ２７フローではＳ２６フローで色変換されたデーターと予め情報出力ボタン４で選択されたユーザーの色覚条件に基づき画像の色覚変換（詳細は後述）を行う。その後Ｓ２８、Ｓ２９フローを経て出力される。以上のフローに沿うことで、ユーザー選択と情報出力ボタンで設定された情報が所望の条件に画像処理されたプリント物が出力できる。
【００５４】
次に色覚変換フロー（Ｓ２７）の一例について図８、図９．図１０を用いて説明する。尚、説明は図８に示す制御フローに沿って行う。ますはじめに図６（ｄ）の色覚条件で設定された色弱の条件を判別する（Ｓ３１）。この判別処理において色覚条件が設定されていないもしくは「Ｃ型」が選択されている場合は特に以後の色覚変換を行うことなく処理を終了する。
【００５５】
その他の色覚条件が選択されている場合、印刷画像において文字領域と図画領域（グラフィックアート、グラフ、写真領域など）の領域分離を行う（Ｓ３２）。尚、領域分離方法としては公知であるＷａｖｅｌｅｔ変換を用いて算出される周波数成分と位置（領域）情報に基づいて分離を行えばよい。そして領域分離後に文字領域の有無を判別する（Ｓ３３）。文字領域が存在した場合、抽出された文字領域を実際の文字部分と背景領域に分け、文字の部分は黒（Ｃ（シアン  以下Ｃとする），Ｍ（マゼンタ  以下Ｍとする），Ｙ（イエロー  以下Ｙとする），Ｋ（ブラック  以下Ｋとする）の各色の混合比率を順に  ０  ，  ０  ，  ０  ，  １００［％］とする）としその背景領域はすべて白（Ｃ，Ｍ，Ｙ，Ｋ  の各色の混合比率を順に  ０  ，  ０  ，  ０  ，  ０  ［％］）として画像変換を行う（Ｓ３４）。尚、文字領域において色弱者が文字認識可能であれば文字領域と背景領域の色の組み合わせは上記に限定する必要はない。
【００５６】
Ｓ３４フローで文字領域の変換が終了するかＳ３３フローで文字領域がない場合には図画領域の有無判別フロー（Ｓ３５）に移行する。もし図画領域が存在しなければここで変換フローは終了する。Ｓ３５フローで図画領域が存在した場合には再度色覚設定条件の判別を行う。最初の色弱タイプの判別としては「Ａ型」の判別を行う（Ｓ３６）。もし「Ａ型」選択された場合は図画領域のフルカラー画像をＫ単色画像に変換する（Ｓ３７）。その後変換完了判別（Ｓ３８）を行い、変換フローが終了する。
【００５７】
先程の「Ａ」型判定フロー（Ｓ３６）で「Ａ」型ではないと判定された場合、可能性のある型は「Ｔ型」もしくは「Ｐ型・Ｄ型」のいずれかである。そこで次に「Ｔ」型の有無を判定する（Ｓ３９）。
【００５８】
「Ｔ」型と判定された場合、次のフローにおいて混同しやすい色領域（以下「色領域」とし詳細は後述する）の組み合わせである（「緑領域」と「青領域」）もしくは（「白領域」と「黄領域」）の各々の組み合わせが、領域分離の抽出結果から求めた同一図画領域への存在するか否かを判定する（Ｓ４０）。尚後述する領域判定において、ある判別した領域が「白領域」と「黄領域」という２つの領域を満たす条件になった場合には「白領域」として判別するものとする。
【００５９】
ここで色領域について図９を用いて説明を行う。
【００６０】
色領域はｘｙ色度図における各色弱タイプの混同線を参考に図９（ａ），（ｂ）に示すような領域範囲で定義した。そのため「色領域」に使用している色表現の色名（「緑」「赤」「紫」「黄」「白」「青」）は色弱者が混同しやすい色領域を区分する呼称の一部であり、色の定義を示しているものではない。従って色弱者の混同を抑制もしくは防止という同一の目的であれば領域範囲や領域数は異なるものであっても別段構わない。
【００６１】
尚、図９に示すように色領域の領域範囲は図７の色変換（Ｓ２６）直後に画像（情報）から得られるＣ，Ｍ，Ｙ，Ｋ各色の混合比率および混合比率から求められる実質混合比率（詳細は後述）を用いて求める。この２つのパラメーター（混合比率および実質混合比率）を用いることにより通常の画像出力ワークフローで用いられる色変換データーをダイレクトに利用することができる。
【００６２】
その結果、色変換値を他の色度値に変換する方法に比べて速やかに領域判別することが可能となる。
【００６３】
尚、以後単に「混合比率」と述べる場合は画像（情報）から得られるＣ，Ｍ，Ｙ，Ｋ  の単色の混合比率を指すものとする。次に実質混合比率について説明を行う。はじめに図９（ａ）に示す「白領域」の算出に用いるＫ実質混合比率は、混合比率の内Ｃ，Ｍ，Ｙの中で最も少なく混合されている比率（以下  本実施例ではＣＭＹ最小混合比率とする）に対し、実際のＫの混合比率を加えたものとする。例えばある領域の色が、Ｃ  ３０［％］  ，Ｍ  ４０［％］，  Ｙ  ３５［％］，  Ｋ  ２５［％］で形成されていたとする。この場合Ｋ実質混合比率は、ＣＭＹ最小混合比率であるＣの３０［％］とＫの混合比率２５［％］を加えた  ５５［％］となる。一方「赤領域」「黄領域」「緑領域」「青領域」「紫領域」の算出に用いるＣ，Ｍ，Ｙ各色の実質混合比率とは、ＣＭＹ最小混合比率をＣ，Ｍ，Ｙ，各色の混合比率から引き算した値（以下  本実施例では実質混合比率とする）を用いて計算を行う。例えばある領域の色のＣ，Ｍ，Ｙの混合比率がＣ  ３０［％］  ，Ｍ  ２０［％］，  Ｙ  ４５［％］で形成されていたとする。この場合のＣＭＹ最小混合比率はＭの  ２０［％］である。従っての各色の実質混合比率（以下  本実施例ではＣ，Ｍ，Ｙの順にＣ実質混合比率、Ｍ実質混合比率、Ｙ実質混合比率とする）はＣ  １０［％］  ，  Ｍ  ０［％］  ，  Ｙ  ２５［％］となる。
【００６４】
以上に基づき図９で定められる色領域を用いて、図８の領域判定（Ｓ４０）を行えばよい。
【００６５】
領域判定（Ｓ４０）の結果、同一図画領域に存在しない場合には、ここで処理は終了となる。
【００６６】
一方（「緑領域」と「青領域」）もしくは（「白領域」と「黄領域」）が同一図画領域に存在した場合「青領域」もしくは「黄領域」について図１０の表に示すパターンを繰り返して領域に付加させる（Ｓ４１）。
【００６７】
ここで図１０を用い付加するパターンの一例について説明を行う。
【００６８】
図１０に示すようにパターンは６００ｄｐｉ相当の８ｄｏｔ×８ｄｏｔで構成されている。表には図画領域にパターンを付加しない（元画像をそのままにしておく）部分を白地、パターンを付加する領域を塗りつぶして示した。つまり「青領域」には左上と右下を結ぶ黄斜線のパターンが付加されることになる。同様に「黄領域」には青縦線のパターンが付加され、「緑領域」には先程と線対称な向きの青斜線のパターン付加されることになる。
【００６９】
従ってＳ４１フロー（色覚設定条件が「Ｔ型」の条件下）では「緑領域」と「青領域」が同一図画領域に存在した場合は「青領域」に対し上述した黄斜線のパターン付加する。「白領域」と「黄領域」が同一図画領域に存在した場合は「黄領域」に青縦線のパターンの付加を行えばよい。
【００７０】
尚、画像変換処理において上記手法における他のパターン形状や他の閾値、そして他の判別方法や変換処理方法を用い色弱者の視認性が確保される状況であれば特に上記の方法に限定される必要はない。このように混同しやすい色の組み合わせの内、片方の色を混同しない色と組み合わせることでより容易に識別することが可能となる。
【００７１】
このようにパターン付加を行った後に、パターン付加完了判別（Ｓ４２）を行い、処理を終了する。また「Ｔ」型判定フロー（Ｓ３９）において、「Ｔ」型ではない場合、「Ｐ型・Ｄ型」ということになる。そこで「Ｐ型・Ｄ型」と判定された場合、次のフローとして（「赤領域」と「緑領域」）もしくは（「紫領域」と「青領域」）の各々の組み合わせ色が抽出した同一図画領域への存在するか否かを判定する（Ｓ４３）。領域判定後にパターンの付加が必要な場合のフロー  （Ｓ４４）は先程のフローである（Ｓ４１）と同様のアルゴリズムで図１０を参照にし「緑領域」もしくは「青領域」にパターンを付加するものである。その後、パターン付加完了判別（Ｓ４５）行い処理を終了する。以上のフローに基づき色覚変換することで、ＮＰＯ法人カラーユニバーサル機構で提唱する各色覚特性についてより判別しやすい情報ページを出力することが可能となる。
【００７２】
尚、本発明で用いた図９に示す「色領域」は、上述したように通常の出力ワークフローを利用するため、混合比率および実質混合比率を用いて領域を定義した。しかしながら所望の目的を達成できるものであれば領域数や参照とする値を変更して定義されたものや他の色度指標値（Ｌｃｈ  ，  Ｌａｂ  ，  Ｌｕｖ  ，  ＨＳＬ  ，  ＨＳＶ  ，  ＸＹＺ  ，  Ｙｘｙ  ，  ＲＧＢなど）で領域指定したものであっても別段構わない。
【００７３】
また、色弱者が判別しやすいような画像変換として、色弱のタイプ毎に存在するｘ  ｙ  色度図に示された混同線に基づき、同一混同線上に複数色が重なった場合、少なくとも１つの色そのものを異なる混同線上の色へ変換するテーブルを持たせておくという手法を用いても別段構わない。
【産業上の利用可能性】
【００７４】
本発明はインターネットで公開される情報を印刷物で取得する場合、画像形成装置において利用できる。
【符号の説明】
【００７５】
１・・・用紙トレイ
２・・・コントロールパネル
３・・・用紙排出口
４・・・インターネット出力操作部
５・・・インターネットへの接続ケーブル（ＬＡＮケーブル）
６・・・情報出力ボタン
７・・・ユーザー選択部
（以下の符号は設定ソフトウエアで表示される画面上のものである）
１０・・・情報出力ボタンの設定部
１１・・・ＵＲＬ設定部
１２・・・第２のＵＲＬ設定部
１３・・・印刷条件の大きさ設定部
１４・・・印刷条件のカラー設定部
１５・・・印刷条件の詳細設定部
１６・・・アップデート設定部
１７・・・ユーザー設定部
１８・・・色覚条件設定部
１９・・・色覚設定選択部
２０・・・色覚設定保存部
【図１】
2012091395.tif 000003
【図２】
2012091395.tif 000004
【図３】
2012091395.tif 000005
【図４】
2012091395.tif 000006
【図５】
2012091395.tif 000007
【図６】
2012091395.tif 000008
【図７】
2012091395.tif 000009
【図８】
2012091395.tif 000010
【図９】
2012091395.tif 000011
【図１０】
2012091395.tif 000012